(57)【要約】【課題】  経済性に優れかつ設置のための占有スペースを小さくする。【解決手段】  筺体２の一方側に利用者側表示部１０、カード載置部１４、カード挿入口１５が設けられ、筺体２の他方側に入力釦４、管理者側表示部５、カード排出口８が設けられている。利用者がカード載置部１４に非接触型ＩＣカードを載置することにより、利用者側表示部１０にカードに記録された残額が表示される。カード挿入口１５から筺体２内に挿入された非接触型ＩＣカードは、入力釦４の入力データに基づき非接触型カード処理手段３０によってカードのデータが書き換えられる。接触型ＩＣカードがカード挿入口１５から挿入されることにより、第１および第２のカード搬送手段２０，２１によって筺体２内を搬送される。搬送されたカードは入力釦４の入力データに基づき接触型カード処理手段によってカードのデータが書き換えられる。カード挿入口１５から挿入された不良カードや偽造カードは、第１および第２のカード搬送手段によって搬送され、カード排出口８から排出される。【選択図】  図１
2005321899.tif 000002
【特許請求の範囲】
【請求項１】
非接触型カード処理手段を内部に備えた筺体と、この筺体の外側に設けられ前記非接触型カード処理手段に近接した位置に位置付けられたカード載置部と、前記筺体に設けられたカード挿入口と、前記筺体の内部に設けられ前記カード挿入口から挿入されたカードを前記非接触型カード処理手段に近接した位置に搬送し前記カード挿入口から排出する第１のカード搬送手段と、前記非接触型カード処理手段によって処理する内容を入力する第１の入力手段とを備え、前記カード載置部および前記カード挿入口を前記筺体の一方側に設け、前記第１の入力手段を前記筺体の他方側に設けたことを特徴とするカード取扱装置。
【請求項２】
請求項１記載のカード取扱装置において、前記筺体の内部に設けられ前記第１のカード搬送手段によって搬送されたカードを受け取り搬送する第２のカード搬送手段と、この第２のカード搬送手段によって搬送されたカードのデータを処理する接触型カード処理手段とを備えたことを特徴とするカード取扱装置。
【請求項３】
請求項１または２記載のカード取扱装置において、前記カード挿入口から挿入されたカードを前記第２のカード搬送手段により搬送し前記筺体外に排出するためのカード排出口を筺体の他方側に設けたことを特徴とするカード取扱装置。
【請求項４】
請求項１ないし３のうちのいずれか一項記載のカード取扱装置において、前記筺体の一方側に第２の入力手段を設けたことを特徴とするカード取扱装置。
【発明の詳細な説明】
【技術分野】
【０００１】
本発明は、各種カードに記録されている残額を表示したり残額の書き換えを行うカード取扱装置に関するものである。
【背景技術】
【０００２】
従来のカード取扱装置は、筺体の前面壁にタッチパネルタイプの表示部とＩＣカードを載置するための載置部とが設けられ、載置部にＩＣカードを載置し、表示部のタッチキーを選択することにより選択されたキーに対応するデータが表示部に表示されるものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２０００−２７６５６３号公報（段落「００１７」および「００１８」、図１）
【発明の開示】
【発明が解決しようとする課題】
【０００３】
この種のカード取扱装置において、商品の代金の支払いを電子マネーの機能を備えたカードで決済する場合には、カードのデータを書き換えている最中に利用者によるカードの抜き取りを阻止するために、カードをカード取扱装置の内部に取込むようにしている。このため、カード載置部だけが設けられ、このカード載置部に載置されたカードのデータを読み出すだけの機能しか備えられていない上述した従来のカード取扱装置においては、カードで決済したい利用者に対しては、カードを装置内部に取り込むことができる別のカード取扱装置を揃える必要があるため、不経済かつ設置のための余計なスペースを必要とするという問題があった。
【０００４】
本発明は上記した従来の問題に鑑みなされたものであり、その目的とするところは、経済性に優れかつ設置のための占有スペースを小さくすることにある。
【課題を解決するための手段】
【０００５】
この目的を達成するために、請求項１に係る発明は、非接触型カード処理手段を内部に備えた筺体と、この筺体の外側に設けられ前記非接触型カード処理手段に近接した位置に位置付けられたカード載置部と、前記筺体に設けられたカード挿入口と、前記筺体の内部に設けられ前記カード挿入口から挿入されたカードを前記非接触型カード処理手段に近接した位置に搬送し前記カード挿入口から排出する第１のカード搬送手段と、前記非接触型カード処理手段によって処理する内容を入力する第１の入力手段とを備え、前記カード載置部および前記カード挿入口を前記筺体の一方側に設け、前記第１の入力手段を前記筺体の他方側に設けたものである。
【０００６】
請求項２に係る発明は、請求項１に係る発明において、前記筺体の内部に設けられ前記第１のカード搬送手段によって搬送されたカードを受け取り搬送する第２のカード搬送手段と、この第２のカード搬送手段によって搬送されたカードのデータを処理する接触型カード処理手段とを備えたものである。
【０００７】
請求項３に係る発明は、請求項１または２に係る発明において、前記カード挿入口から挿入されたカードを前記第２のカード搬送手段により搬送し前記筺体外に排出するためのカード排出口を筺体の他方側に設けたものである。
【０００８】
請求項４に係る発明は、請求項１ないし３のいずれか一項記載の発明において、前記筺体の一方側に第２の入力手段を設けたものである。
【発明の効果】
【０００９】
請求項１に係る発明によれば、１台のカード取扱装置にカード載置部とカードを装置内部に取り込む第１のカード搬送手段とを備えているため、カード取扱装置を２台揃える必要がないから、経済性に優れているというばかりではなく、設置のための占有スペースを小さくすることができる。また、カードが第三者に接触することがないためカードのセキュリティーを向上させることができる。また、利用者からのカードの受け取り・受け渡しの手間が省けるため、カード取扱装置を管理する者の労力を軽減することができる。
【００１０】
請求項２に係る発明によれば、複数種のカードを１台のカード取扱装置で処理することができるため、汎用性に優れかつ使い勝手が向上する。
【００１１】
請求項３に係る発明によれば、不良カードや偽造カードを回収することができる。
【００１２】
請求項４に係る発明によれば、利用者自身が使用するカードの種別を入力したり、利用者自身がカードによる利用額を確認して確認釦により確認の入力を行うようにしたことにより、管理者の責任が軽減されるとともに、カードによる利用額を承認するための署名が不要になるため会計業務を円滑かつ短時間で行うことができる。
【発明を実施するための最良の形態】
【００１３】
以下、本発明の実施の形態を図に基づいて説明する。図１は本発明に係るカード取扱装置の側断面図、図２は図１におけるII矢視図、図３は図１におけるIII 矢視図、図４は図１におけるIV矢視図でアッパーケースを取り外した状態を示し、図５は図４におけるＶ矢視図、図６は図４におけるVI-VI 線断面図で非接触型ＩＣカードを処理している状態を示し、図７は図５におけるVI-VI 線断面図で接触型ＩＣカードを処理している状態を示す。
【００１４】
図１に全体を符号１で示すカード取扱装置は、後述する非接触型カード処理手段３０および接触型カード処理手段５１を内蔵する筺体２を備えている。この筺体２の上面板３は矢印Ａ方向に向かって下方に傾斜するように形成されており、この上面板３には、このカード取扱装置１を取り扱う管理者が操作する第１の入力手段としての複数の入力釦４と、この入力釦４による入力内容が表示される管理者側表示部５と、入力釦４による入力内容が印刷されたレシートを排出するレシート排出口６とが設けられている。
【００１５】
筺体２の背面板７にはカード排出口８が設けられており、このカード排出口８から後述するように不良カードや偽造カード等が排出される。筺体２の前面側の上部９は矢印Ｂ方向に向かって下方に傾斜するように形成されており、この上部９には入力釦４による入力内容が表示される利用者側表示部１０が設けられている。この利用者側表示部１０には、図２に示すように、第２の入力手段としてのタッチパネル方式のカード種別釦１１と確認釦１２とが設けられており、これら釦１１，１２は利用者によって操作される。カード種別釦１１はカードの種類を選択する釦であって釦１１ａと釦１１ｂとによって構成されており、釦１１ａは非接触型カードを使用する場合にＯＮとし、釦１１ｂは接触型カードを使用する場合にＯＮとする。確認釦１２は利用者側表示部１０に表示された内容を確認することにより利用者がＯＮとする釦である。
【００１６】
上部９の下方には、筺体２の幅方向全体に延在する凹部１３が設けられており、この凹部１３の底部１４は後述する非接触型カード処理手段３０に近接するようにして対向し、この底部１４がカード載置部を形成しており、このカード載置部１４の下方にはカード挿入口１５が設けられている。
【００１７】
このように形成されたカード取扱装置１の筺体２は、矢印Ａ方向が管理者側に位置し矢印Ｂ方向が利用者側に位置するようにレジ台（図示せず）に載置される。すなわち、筺体２の一方側に設けられた利用者側表示部１０およびカード載置部１４ならびにカード挿入口１５が利用者側に位置し、筺体２の他方側に設けられた入力釦４およびカード排出口８が管理者側に位置している。
【００１８】
次に、図１および図４ないし図７を用いて、第１のカード搬送手段２０および第２のカード搬送手段２１について説明する。第１のカード搬送手段２０および第２のカード搬送手段２１は、図１に示すように互いに近接するようにブラケット２２上に取り付けられており、ブラケット２２を介して筺体２に内蔵されている。
【００１９】
第１のカード搬送手段２０は、図６に示すように、ロアーケース２３とアッパーケース２４とを備え、これら両ケース２３，２４との間に第１のカード搬送路２５が設けられており、この第１のカード搬送路２５の前後は開口し、それぞれ第１のカード入口２６および第１のカード出口２７を形成している。第１のカード入口２６は筺体２のカード挿入口１５と対向し、第１のカード出口２７は第２のカード搬送手段２１の後述する第２のカード入口３８に対向している。
【００２０】
２８は第１のカード入口２６の近傍に位置付けられたカード検知手段であって、第１のカード搬送路２５を上下方向に挟むように設けられており、このカード検知手段２８によって第１のカード入口２６にカードが挿入されたことを検知すると、後述するモータが正方向に駆動する。３０は非接触型カード処理手段（図４において説明の便宜上格子状のハッチングを施した部材）であって、第１のカード搬送路２５に近接し、かつカード載置部１４に対向するようにブラケット２９を介してロアーケース２３に取り付けられている。
【００２１】
３１は駆動ローラであって、ロアーケース２３に回転自在に軸支された駆動軸３２に軸着されており、ロアーケース２３の上板に設けた窓から上端部が第１のカード搬送路２５に臨んでいる。３３はピンチローラであって、アッパーケース２４側に上下動自在に支持された従動軸３４に回転自在に支持されており、アッパーケース２４の底板に設けた窓から下端部が第１のカード搬送路２５に臨み、図示を省略した付勢手段によって駆動ローラ３１に圧接している。
【００２２】
第２の搬送手段２１は、図６に示すように、ロアーケース３５とアッパーケース３６とを備え、これら両ケース３５，３６との間に第２のカード搬送路３７が設けられており、この第２のカード搬送路３７の前後は開口し、それぞれ第２のカード入口３８および第２のカード出口３９を形成している。上述した第１の出口２７から排出されたカードは第２のカード入口３５から第２のカード搬送路３７内に搬送される。第２の出口３９と筺体２のカード排出口８とは対向しており、第２のカード出口３９から排出されたカードはカード排出口８から筺体２の外部に排出される。
【００２３】
４０は第２のカード入口３８側に設けられた駆動ローラであって、ロアーケース３５に回転自在に軸支された駆動軸４１に軸着されており、ロアーケース３５の上板に設けた窓から上端部が第２のカード搬送路３７に臨んでいる。４２はピンチローラであって、アッパーケース３６側に上下動自在に支持された従動軸４３に回転自在に支持されており、アッパーケース３６の底板に設けた窓から下端部が第２のカード搬送路３７に臨み、図示を省略した付勢手段によって駆動ローラ４０に圧接している。
【００２４】
４４は第２の出口３９側に設けられた駆動ローラであって、ロアーケース３５に回転自在に軸支された駆動軸４５に軸着されており、ロアーケース３５の上板に設けた窓から上端部が第２のカード搬送路３７に臨んでいる。４６はピンチローラであって、アッパーケース３６側に上下動自在に支持された従動軸４７に回転自在に支持されており、アッパーケース３６の底板に設けた窓から下端部が第２のカード搬送路３７に臨み、図示を省略した付勢手段によって駆動ローラ４４に圧接している。
【００２５】
５０は下部側にＩＣ接点５１と係合部５２とを備えた接触型カード処理手段としてのＩＣ接点スライダであって、アッパーケース３６の底板に立設したガイド壁５３のガイド溝５４によって、アッパーケース３６の底板に設けた窓５５から第２のカード搬送路３７に進退自在かつ矢印Ａ−Ｂ方向へ移動自在に支持されている。すなわち、このＩＣ接点スライダ５０はソレノイドによって揺動する揺動部材（いずれも図示せず）により係合部５２が第２のカード搬送路３７に進出し、第２のカード搬送路３７を矢印Ａ方向に搬送される接触型ＩＣカードＣＡ（以下、カードＣＡという）の前端が係合部５２に係合する。したがって、カードＣＡの矢印Ａ方向への搬送によって、ＩＣ接点スライダ５０は引張りコイルばね５６の引張力に抗して矢印Ａ方向へ移動するとともに降下し、カードＣＡの電極にＩＣ接点５１が接触してカードＣＡに記録されたデータが処理される。
【００２６】
次に、図４および図５を用いてカードを搬送する駆動系について説明する。これらの図において、６０は図示を省略した正・逆方向に駆動するモータの出力軸に軸着されたモータギアであって、このモータギア６０に減速ギア６１の大径ギアが噛合し、減速ギア６１の小径ギアに中間ギア６２が噛合している。この中間ギア６２と同軸上に軸着されたプーリ６３と駆動軸４１に軸着されたプーリ６４との間に駆動伝達用ベルト６５が張設されている。駆動軸４１に軸着されたプーリ６６と駆動軸４５に軸着されたプーリ６７との間に駆動伝達用ベルト６８が張設され、駆動軸４１に軸着されたプーリ６９と駆動軸３２に軸着されたプーリ７０との間に駆動伝達用ベルト７１が張設されている。
【００２７】
このように構成されていることにより、図示を省略したモータが正方向に駆動すると、モータギア６０が図５中反時計方向に回転し、このモータギア６０の回転は減速ギア６１および中間ギア６３に伝達され、駆動伝達用ベルト６５を介してプーリ６９が反時計方向に回転する。したがって、駆動軸４１が反時計方向に回転するので、この駆動軸４１に軸着された駆動ローラ４０が図７中反時計方向に回転するとともに、駆動伝達用ベルト６８，７１を介してプーリ６７，７０および駆動軸４５，３２が反時計方向に回転するから駆動ローラ４４，３１が反時計方向に回転する。一方、モータが逆方向に駆動すると、駆動ローラ４０が図６中時計方向に回転するとともに、駆動ローラ４４，３１が時計方向に回転する。
【００２８】
次に、このように構成されたカード取扱装置におけるカードの取り扱い動作について説明する。先ず、非接触型ＩＣカードＣＢ（以下、カードＣＢという）に記録された残高の照会を行う場合を説明する。この場合には、図２において利用者が非接触型カード用のカード種別釦１１ａをＯＮとし、カードＣＢを筺体２のカード載置部１４に載置する。載置されたカードＣＢは対向する非接触型カード処理手段３０によって無線を介して記録されているデータが読み取られ、読み取られた結果としてのカードＣＢの残高が利用者側表示部１０に表示される。
【００２９】
次に、カードＣＢを使って購入した商品の代金を決済する場合を説明する。この場合には、図２において利用者が非接触型カード用のカード種別釦１１ａをＯＮとし、カードＣＢを筺体２のカード挿入口１５に挿入する。挿入されたカードＣＢの先端が第１の搬送手段２０のカード入口２６に挿入されると、検知手段２８によってこれが検知されるため、図示を省略したモータが正方向に回転するから第１の搬送手段２０の駆動ローラ３１が図６中反時計方向に回転を開始する。挿入されたカードＣＢの先端が駆動ローラ３１とピンチローラ３３の対接部まで到達すると、駆動ローラ３１とピンチローラ３３とによって挟持されるようにして矢印Ａ方向へ搬送される。搬送されるカードＣＢの後端が筺体２内に位置付けられると、モータの駆動が停止し、カードＣＢが非接触型カード処理手段３０に対向して搬送が停止し、この状態が駆動ローラ３１とピンチローラ３３とによって保持される。
【００３０】
管理者が入力釦４によって商品の購入価格を入力すると、入力された内容、すなわち商品名と商品の購入価格が管理者側表示部５と利用者側表示部１０に表示される。利用者は利用者側表示部１０に表示された内容を確認し、内容に誤りがない場合には確認釦１２をＯＮとする。この確認釦１２のＯＮにより、非接触型カード処理手段３０によって無線を介してカードＣＢに記録されたデータが入力された商品の購入額に対応した価値分だけ減算するように書き換えられる。書き換えが終了すると、両表示部５，１０に表示されていた内容がレシートに印刷され、レシートがレシート排出口６から排出されるので、管理者はそのレシートを利用者に渡す。同時に、モータが逆方向に駆動し、駆動ローラ３１が図６中時計方向に回転することにより、カードＣＢは矢印Ｂ方向へ搬送され、カードＣＢの後端部が筺体２のカード挿入口１５から突出するので、利用者はカードＣＢをカード挿入口１５から抜き取る。
【００３１】
このように、カードＣＢが筺体２内に収容された状態で、非接触型カード処理手段３０によってカードＣＢが処理されるため、カード処理中に利用者によって故意または誤ってカードが抜き取られるようなことがない。また、１台のカード取扱装置１にカード載置部１５とカードを装置内部に取り込む第１のカード搬送手段２０とを備えているため、カード取扱装置を２台揃える必要がないため、経済性に優れているというばかりではなく、設置のための占有スペースを小さくすることができる。また、カードＣＢを管理者等の第三者に接触させることがなくカードの処理が行われるためカードのセキュリティーを向上させることができる。また、利用者からのカードの受け取り・受け渡しの手間が省かれるため、管理者の労力を軽減することができる。また、利用者自身が使用するカードの種別をカード種別釦１１により入力したり、利用者自身がカードによる利用額を確認して確認釦１２により確認の入力を行うようにしたことにより、管理者の責任が軽減されるとともに、カードによる利用額を承認するための署名が不要になるため会計業務を円滑かつ短時間で行うことができる。
【００３２】
次に、カードＣＡを使って購入した商品の代金を決済する場合を説明する。この場合には、図２において利用者が接触型カード用のカード種別釦１１ｂをＯＮする。カード種別釦１１ｂがＯＮされると、ソレノイドによって揺動する揺動部材（いずれも図示せず）によりＩＣ接点スライダ５０が揺動して係合部５２が第２のカード搬送路３７に進出する。カードＣＡを筺体２のカード挿入口１５に挿入する。挿入されたカードＣＡの先端が第１の搬送手段２０のカード入口２６に挿入されると、検知手段２８によってこれが検知されるため、図示を省略したモータが正方向に回転するから第１の搬送手段２０の駆動ローラ３１および第２の搬送手段２１の駆動ローラ４２，４６が図７中反時計方向に回転を開始する。
【００３３】
挿入されたカードＣＡの先端が駆動ローラ３１とピンチローラ３３の対接部まで到達すると、駆動ローラ３１とピンチローラ３３とによって挟持されるようにして矢印Ａ方向へ搬送される。カードＣＡの先端が駆動ローラ４０とピンチローラ４２の対接部まで到達すると、これら駆動ローラ４０とピンチローラ４２とによってカードＣＡが第２のカード搬送路３７を矢印Ａ方向へ搬送され、カードＣＡの前端がＩＣ接点スライダ５０の係合部５２に係合する。したがって、カードＣＡの矢印Ａ方向への搬送によって、ＩＣ接点スライダ５０は引張りコイルばね５６の引張力に抗して矢印Ａ方向へ移動するとともに降下し、カードＣＡの電極にＩＣ接点５１が接触する。
【００３４】
管理者が入力釦４によって商品の購入価格を入力すると、入力された内容、すなわち商品名と商品の購入価格が管理者側表示部５と利用者側表示部１０に表示される。利用者は利用者側表示部１０に表示された内容を確認し、内容に誤りがない場合には確認釦１２をＯＮとする。この確認釦１２のＯＮにより、ＩＣ接点スライダ５０のＩＣ接点５１によってカードＣＡに記録されたデータが入力された商品の購入額に対応した価値分だけ減算するように書き換えられる。書き換えが終了すると、両表示部５，１０に表示されていた内容がレシートに印刷され、レシートがレシート排出口６から排出されるので、管理者はそのレシートを利用者に渡す。同時に、モータが逆方向に駆動し、駆動ローラ４０，３１が図７中時計方向に回転することにより、カードＣＡは第２のカード搬送路３７および第１のカード搬送路２５を矢印Ｂ方向へ搬送され、カードＣＡの後端部が筺体２のカード挿入口１５から突出するので、利用者はカードＣＡをカード挿入口１５から抜き取る。
【００３５】
このように、本発明のカード取扱装置１によれば、非接触型ＩＣカードＣＢのみならず接触型ＩＣカードＣＡの処理が可能であるため、複数種のカードを１台のカード取扱装置で処理することができるから、汎用性に優れかつ使い勝手が向上する。
【００３６】
ここで、カード挿入口１５から挿入されたカードＣＡまたはカードＣＢに記録されたデータがＩＣ接点スライダ５０のＩＣ接点５１または非接触型カード処理手段３０によって読み取ることができないといった場合には、カードＣＡまたはカードＣＢが不良カードまたは偽造カード等であると装置の制御部（図示せず）で判断する。この場合には、ＩＣ接点スライダ５０の係合部５２を第２のカード搬送路３７から退避させた状態で、モータを正方向に駆動する。したがって、カードＣＡまたはカードＣＢは、駆動ローラ３１とピンチローラ３３および駆動ローラ４０とピンチローラ４２ならびに駆動ローラ４４とピンチローラ４６によって、第１のカード搬送路２５および第２のカード搬送路３７を矢印Ａ方向に搬送され、カード排出口８から排出される。このため、管理者はこれらの不良カードや偽造カード等を回収することができる。
【００３７】
なお、本実施の形態においては、接触型カード処理手段５１としてＩＣカードを処理する手段を例示したが、磁気カードを処理する手段としてもよく、また、両手段を備えていてもよい。また、非接触型カード処理手段３０を第１のカード搬送路２５の下方に設けたが、第１のカード搬送路２５とカード載置部１４と間に位置付けるように第１のカード搬送路２５の上方に設けるようにしてもよい。カード種別釦１１は２つだけ設けたが、使用されるカードの種類に応じて３個以上設けてもよく、使用されるカードも銀行カードやクレジットカード等各種のカードにも適用できる。また、カード取扱装置１によって処理されるカードのデータも金額だけではなく、公共機関による個人データや病院による治療データ等種々のデータを処理するようにしてもよい。また、第２の入力手段として、カード種別釦１１および確認釦１２以外の釦を設けてもよく、例えば第１の入力手段４と同じ機能を有する釦を設けてもよく、種々の設計変更が可能である。また、カード載置部１４に載置した場合には、カードＣＢに記録された残額を表示するようにしたが、カード載置部１４に載置することにより、カードに記録された残額を書き換えるようにしてもよい。
【図面の簡単な説明】
【００３８】
【図１】本発明に係るカード取扱装置の側断面図を示す。
【図２】図１におけるII矢視図である。
【図３】図１におけるIII 矢視図である。
【図４】図１におけるIV矢視図でアッパーケースを取り外した状態を示す。
【図５】図４におけるＶ矢視図である。
【図６】図４におけるVI-VI 線断面図で非接触型ＩＣカードを処理している状態を示す。
【図７】図４におけるVI-VI 線断面図で接触型ＩＣカードを処理している状態を示す。
【符号の説明】
【００３９】
１…カード取扱装置、２…筺体、４…第１の入力釦（第１の入力手段）、５…管理者側表示部、８…カード排出口、１０…利用者側表示部、１１…カード種別釦（第２の入力手段）、１２…確認釦（第２の入力手段）、１４…カード載置部、１５…カード挿入口、２０…第１のカード搬送手段、２１…第２のカード搬送手段、２５…第１のカード搬送路、３０…非接触型カード処理手段、３１…駆動ローラ、３７…第２のカード搬送路、４０，４４…駆動ローラ、５０…ＩＣ接点スライダ、５１…ＩＣ接点（接触型カード処理手段）、５２…係合部、ＣＡ…接触型ＩＣカード、ＣＢ…非接触型ＩＣカード。
【図１】
2005321899.tif 000003
【図２】
2005321899.tif 000004
【図３】
2005321899.tif 000005
【図４】
2005321899.tif 000006
【図５】
2005321899.tif 000007
【図６】
2005321899.tif 000008
【図７】
2005321899.tif 000009